(57)【要約】【課題】  解析困難な付加情報を情報記録媒体に記録し、また再生する装置、媒体、および方法を提供する。【解決手段】  情報記録媒体に対する付加データの記録、例えばコンテンツの復号処理に適用する鍵情報、鍵生成情報、あるいはコンテンツ再生制御情報、コピー制御情報などの付加データを記録する際、付加データを挿入するレコーディングフレームのデータのパリティを算出し、そのパリティが偶数か奇数かの情報と、付加データのビット値情報、［０］または［１］に基づいて、付加データを格納するフレームのＤＣ制御ビットの値を決定して設定する。再生時においては、レコーディングフレームのパリティの検出のみで付加データの構成ビット［０］また［１］を取得することが可能となる。【選択図】  図１
2005085424.tif 000002
【特許請求の範囲】
【請求項１】
情報記録処理装置において、
記録対象データに対してＤＣ制御ビットを設定し、データ変調処理を実行し変調レコーディングフレームを生成する変調データ生成部と、
付加データの構成ビット値と、付加データを格納するレコーディングフレームの構成データのデータ状態とに基づいて、当該レコーディングフレームに設定するＤＣ制御ビットのビット値を決定するＤＣ制御ビット指示手段と、
を有することを特徴とする情報記録処理装置。
【請求項２】
前記付加データを格納するレコーディングフレームの構成データのデータ状態は、レコーディングフレームの構成データのパリティが偶数であるか奇数であるかの状態であり、
前記ＤＣ制御ビット指示手段は、
前記付加データの構成ビット値が０であるか１であるか、および、
レコーディングフレームの構成データのパリティが偶数であるか、奇数であるか、
上記２つの条件に基づいて、当該レコーディングフレームに設定するＤＣ制御ビットのビット値を決定する処理を実行する構成であることを特徴とする請求項１に記載の情報記録処理装置。
【請求項３】
前記ＤＣ制御ビット指示手段は、
前記付加データを格納するレコーディングフレームに設定する全てのＤＣ制御ビットのトータルパリティを偶数に設定するか、または奇数に設定するかを、付加データの構成ビット値と、付加データを格納するレコーディングフレームの構成データのデータ状態とに基づいて決定する処理を実行する構成であることを特徴とする請求項１に記載の情報記録処理装置。
【請求項４】
前記情報記録処理装置は、
前記付加データを、
前記情報記録媒体に格納するコンテンツの暗号鍵情報、暗号鍵生成情報、コンテンツ再生制御情報、コンテンツコピー制御情報の少なくともいずれかの情報の構成情報として設定する構成であることを特徴とする請求項１に記載の情報記録処理装置。
【請求項５】
前記変調データ生成部は、
ランレングス規則としてのＲＬＬ（１，７）を満足するデータ変換処理を実行して変調レコーディングフレームを生成する構成であることを特徴とする請求項１に記載の情報記録処理装置。
【請求項６】
前記変調データ生成部は、
２ビット情報の３ビット情報への変換処理を含む変調レコーディングフレーム生成処理を実行する構成であることを特徴とする請求項１に記載の情報記録処理装置。
【請求項７】
情報記録媒体に格納された情報の再生処理を実行する情報再生処理装置であり、
情報記録媒体から読み取られたデータの復調処理を実行する復調部と、
記録データの状態算出処理を実行し、該状態算出結果に基づいて、付加データの記録領域に格納された記録情報としての付加データ構成ビット情報の取得処理を実行する付加データデコード部と、
を有することを特徴とする情報再生処理装置。
【請求項８】
前記付加データデコード部の算出する記録データの状態は、付加データの記録領域に対応する変調レコーディングフレームの構成データのパリティであり、該パリティが、偶数であるか、奇数であるかの状態に基づいて、前記付加データの構成ビット値が０であるか１であるかの識別処理を実行する構成であることを特徴とする請求項７に記載の情報再生処理装置。
【請求項９】
前記情報再生処理装置は、
取得した付加データ構成ビット情報に基づいて、前記情報記録媒体に格納されたコンテンツの暗号鍵情報、暗号鍵生成情報、コンテンツ再生制御情報、コンテンツコピー制御情報の少なくともいずれかの情報を生成する処理を実行する構成であることを特徴とする請求項７に記載の情報再生処理装置。
【請求項１０】
情報記録媒体であり、
付加データの記録領域に対応するレコーディングフレームを、
付加データの構成ビット値と、
レコーディングフレームの構成データのパリティが偶数であるか、奇数であるか、
上記２つの条件に基づいてビット値を決定したＤＣ制御ビットを設定したレコーディングフレームとし、当該レコーディングフレームに基づくデータが記録されたことを特徴とする情報記録媒体。
【請求項１１】
前記付加データの記録領域に対応するレコーディングフレームは、
付加データの構成ビット値と、付加データを格納するレコーディングフレームの構成データのデータ状態との対応に基づいて定められたルールに従い、ＤＣ制御ビットのトータルパリティを偶数または奇数のいずれかに設定して記録した構成を有することを特徴とする請求項１０に記載の情報記録媒体。
【請求項１２】
前記情報記録媒体は、
前記付加データを、前記情報記録媒体の格納コンテンツの暗号鍵情報、暗号鍵生成情報、コンテンツ再生制御情報、コンテンツコピー制御情報の少なくともいずれかの情報の構成情報として格納した構成であることを特徴とする請求項１０に記載の情報記録媒体。
【請求項１３】
前記情報記録媒体は、
ランレングス規則としてのＲＬＬ（１，７）を満足するデータ変換処理を実行して生成される変調レコーディングフレームに基づくデータを記録した構成であることを特徴とする請求項１０に記載の情報記録媒体。
【請求項１４】
前記情報記録媒体は、
２ビット情報を３ビット情報に変換する処理を実行して生成される変調レコーディングフレームに基づくデータを記録した構成であることを特徴とする請求項１０に記載の情報記録媒体。
【請求項１５】
情報記録処理方法であり、
付加データの構成ビット値と、付加データを格納するレコーディングフレームの構成データのデータ状態とに基づいて、当該レコーディングフレームに設定するＤＣ制御ビットのビット値を決定するＤＣ制御ビット指示ステップと、
記録対象データに対して前記ＤＣ制御ビット指示ステップにおいて指示されたＤＣ制御ビットを設定し、データ変調処理を実行し変調レコーディングフレームを生成する変調データ生成ステップと、
を有することを特徴とする情報記録処理方法。
【請求項１６】
前記付加データを格納するレコーディングフレームの構成データのデータ状態は、レコーディングフレームの構成データのパリティが偶数であるか奇数であるかの状態であり、
前記ＤＣ制御ビット指示ステップは、
前記付加データの構成ビット値が０であるか１であるか、および、
レコーディングフレームの構成データのパリティが偶数であるか、奇数であるか、
上記２つの条件に基づいて、当該レコーディングフレームに設定するＤＣ制御ビットのビット値を決定する処理を実行するステップを含むことを特徴とする請求項１５に記載の情報記録処理方法。
【請求項１７】
前記ＤＣ制御ビット指示ステップは、
前記付加データを格納するレコーディングフレームに設定する全てのＤＣ制御ビットのトータルパリティを偶数に設定するか、または奇数に設定するかを、付加データの構成ビット値と、付加データを格納するレコーディングフレームの構成データのデータ状態とに基づいて決定する処理を実行するステップを含むことを特徴とする請求項１５に記載の情報記録処理方法。
【請求項１８】
前記付加データは、
前記情報記録媒体に格納するコンテンツの暗号鍵情報、暗号鍵生成情報、コンテンツ再生制御情報、コンテンツコピー制御情報の少なくともいずれかの情報の構成情報であることを特徴とする請求項１５に記載の情報記録処理方法。
【請求項１９】
前記変調データ生成ステップは、
ランレングス規則としてのＲＬＬ（１，７）を満足するデータ変換処理を実行して変調レコーディングフレームを生成することを特徴とする請求項１５に記載の情報記録処理方法。
【請求項２０】
前記変調データ生成ステップは、
２ビット情報の３ビット情報への変換処理を含む変調レコーディングフレーム生成処理を実行することを特徴とする請求項１５に記載の情報記録処理方法。
【請求項２１】
情報記録媒体に格納された情報の再生処理を実行する情報再生処理方法であり、
情報記録媒体から読み取られたデータの復調処理を実行する復調ステップと、
記録データの状態算出処理を実行し、該状態算出結果に基づいて、付加データの記録領域に格納された記録情報としての付加データ構成ビット情報の取得処理を実行する付加データデコードステップと、
を有することを特徴とする情報再生処理方法。
【請求項２２】
前記付加データデコードステップは、
付加データの記録領域に対応する変調レコーディングフレームの構成データのパリティを前記記録データの状態として算出し、該パリティが、偶数であるか、奇数であるかの状態に基づいて、前記付加データの構成ビット値が０であるか１であるかの識別処理を実行するステップを含むことを特徴とする請求項２１に記載の情報再生処理方法。
【請求項２３】
前記情報再生処理方法は、さらに、
取得した付加データ構成ビット情報に基づいて、前記情報記録媒体に格納されたコンテンツの暗号鍵情報、暗号鍵生成情報、コンテンツ再生制御情報、コンテンツコピー制御情報の少なくともいずれかの情報を生成する処理を実行するステップを含むことを特徴とする請求項２１に記載の情報再生処理方法。
【請求項２４】
情報記録処理を実行するコンピュータ・プログラムであり、
付加データの構成ビット値と、付加データを格納するレコーディングフレームの構成データのデータ状態とに基づいて、当該レコーディングフレームに設定するＤＣ制御ビットのビット値を決定するＤＣ制御ビット指示ステップと、
記録対象データに対して前記ＤＣ制御ビット指示ステップにおいて指示されたＤＣ制御ビットを設定し、データ変調処理を実行し変調レコーディングフレームを生成する変調データ生成ステップと、
を有することを特徴とするコンピュータ・プログラム。
【請求項２５】
情報記録媒体に格納された情報の再生処理を実行するコンピュータ・プログラムであり、
情報記録媒体から読み取られたデータの復調処理を実行する復調ステップと、
記録データの状態算出処理を実行し、該状態算出結果に基づいて、付加データの記録領域に格納された記録情報としての付加データ構成ビット情報の取得処理を実行する付加データデコードステップと、
を有することを特徴とするコンピュータ・プログラム。
【発明の詳細な説明】
【技術分野】
【０００１】
本発明は、情報記録処理装置、情報再生処理装置、情報記録媒体、および方法、並びにコンピュータ・プログラムに関する。さらに詳細には、例えば、画像データ、音楽データ等のコンテンツを記録する情報記録媒体に、付加情報、例えばコンテンツの復号処理に適用する鍵情報、コンテンツ再生制御情報、コピー制御情報など、様々な付加情報を、ＤＣ制御ビットの設定制御により解析困難な形態で記録し、読み取ることを可能とした情報記録処理装置、情報再生処理装置、情報記録媒体、および方法、並びにコンピュータ・プログラムに関する。
【背景技術】
【０００２】
音楽データ、画像データなどのデータを記録媒体にデジタルデータとして記録する際には、所定の記録フォーマットに従った記録処理が行われる。例えば、記録対象のオリジナルデータに対して誤り検出／訂正符号が付加され、特定のデータ記録再生処理に応じたフォーマットに変換（コーディング）されて記録されることになる。
【０００３】
高密度情報の記録を可能とする情報記録媒体として青色レーザを用いた情報記録、再生を行なうシステムが近年開発された。この青色レーザを用いた情報記録処理では、基本的に２ビットデータを３ビットデータに変調する変調処理が行われる。
【０００４】
ところで、このような情報記録媒体に対して格納するコンテンツとして、例えば、映画、音楽データなどがある。音楽データ、画像データ等、多くのコンテンツは、一般的にその作成者あるいは販売者に頒布権等が保有されている。従って、これらのコンテンツの配布に際しては、一定の利用制限、すなわち、正規なユーザに対してのみ、コンテンツの利用を許諾し、許可のない複製等が行われないようにする構成をとるのが一般的となっている。
【０００５】
高容量記録可能な青色レーザ記録方式を用いた記録媒体等の大容量型記録媒体は、１枚の媒体に例えば映画１本〜数本分のデータを記録することが可能である。このようにコンテンツを容易にデジタル情報として記録することが可能となるに従って、不正コピーの氾濫という問題も多く発生することになり、コンテンツ著作権者、頒布権者の利益の阻害という問題が大きくなっている。このような現状から、いかに不正コピーを防止し、著作権者、頒布権者の利益の保護を図るかが重要な課題となっている。
【０００６】
このようなコンテンツの不正利用を防止するため、情報記録媒体に格納するコンテンツを暗号化コンテンツとして記録するとともに、その暗号化コンテンツの利用に適用する暗号鍵情報、あるいは暗号鍵の生成に必要となる情報や、あるいは、コンテンツの再生制御、コピー制御などの各種制御情報を秘密情報として情報記録媒体に格納する構成が提案されている。ユーザの再生装置において実行する再生処理プログラムが、再生対象コンテンツに対応する鍵等の秘密情報を読み取り、読み取った秘密情報に従ってコンテンツを復号し、また再生制御情報に従ったコンテンツ利用を実行させるという構成である。
【０００７】
秘密情報の埋め込み処理構成を開示した従来技術として、例えば特許文献１には、ＥＦＭ変調データの接続ビット（マージンビット）を適用して特殊データを埋め込む構成が開示されている。また、特許文献２には、変調処理に複数の変換テーブルを適用する構成において、再生時に、変調に適用した変換テーブルに関するデータを抽出して、この抽出データに基づいて付加データを取得する構成を開示している。
【０００８】
しかしながら、このような暗号鍵、あるいは制御情報が、情報記録媒体のどこに格納されているかといった情報がユーザ、あるいは不正なコンテンツ利用者に取得されてしまうと、付加情報の漏洩や改竄を可能にしてしまうという問題がある。例えば再生制御情報、コピー制御情報の改竄、あるいは鍵情報の漏洩という問題が発生する。暗号鍵の漏洩や、制御情報の改竄が行われると、正当なコンテンツ利用権に基づくコンテンツの利用形態がくずれることになり、コンテンツの著作権、利用権の十分な保護が行われなくなるという問題がある。
【特許文献１】特開２００３−４５１２８号公報
【特許文献２】特開２００２−３６７２８２号公報
【発明の開示】
【発明が解決しようとする課題】
【０００９】
本発明は、上述の問題点に鑑みてなされたものであり、例えばコンテンツとともに記録媒体に格納する暗号鍵、暗号鍵生成情報、コンテンツ再生制御情報、コンテンツコピー制御情報、あるいはその他のコンテンツ属性情報など、様々な付加情報を、一般のデータ読み取り処理では読み取ることのできない態様で記録することを可能とし、不正なデータ読み取りを困難とした情報記録処理装置、情報再生処理装置、情報記録媒体、および方法、並びにコンピュータ・プログラムを提供することを目的とする。
【課題を解決するための手段】
【００１０】
本発明の第１の側面は、
情報記録処理装置において、
記録対象データに対してＤＣ制御ビットを設定し、データ変調処理を実行し変調レコーディングフレームを生成する変調データ生成部と、
付加データの構成ビット値と、付加データを格納するレコーディングフレームの構成データのデータ状態とに基づいて、当該レコーディングフレームに設定するＤＣ制御ビットのビット値を決定するＤＣ制御ビット指示手段と、
を有することを特徴とする情報記録処理装置にある。
【００１１】
さらに、本発明の情報記録処理装置の一実施態様において、前記付加データを格納するレコーディングフレームの構成データのデータ状態は、レコーディングフレームの構成データのパリティが偶数であるか奇数であるかの状態であり、前記ＤＣ制御ビット指示手段は、前記付加データの構成ビット値が０であるか１であるか、および、レコーディングフレームの構成データのパリティが偶数であるか、奇数であるか、上記２つの条件に基づいて、当該レコーディングフレームに設定するＤＣ制御ビットのビット値を決定する処理を実行する構成であることを特徴とする。
【００１２】
さらに、本発明の情報記録処理装置の一実施態様において、前記ＤＣ制御ビット指示手段は、前記付加データを格納するレコーディングフレームに設定する全てのＤＣ制御ビットのトータルパリティを偶数に設定するか、または奇数に設定するかを、付加データの構成ビット値と、付加データを格納するレコーディングフレームの構成データのデータ状態とに基づいて決定する処理を実行する構成であることを特徴とする。
【００１３】
さらに、本発明の情報記録処理装置の一実施態様において、前記情報記録処理装置は、前記付加データを、前記情報記録媒体に格納するコンテンツの暗号鍵情報、暗号鍵生成情報、コンテンツ再生制御情報、コンテンツコピー制御情報の少なくともいずれかの情報の構成情報として設定する構成であることを特徴とする。
【００１４】
さらに、本発明の情報記録処理装置の一実施態様において、前記変調データ生成部は、ランレングス規則としてのＲＬＬ（１，７）を満足するデータ変換処理を実行して変調レコーディングフレームを生成する構成であることを特徴とする。
【００１５】
さらに、本発明の情報記録処理装置の一実施態様において、前記変調データ生成部は、２ビット情報の３ビット情報への変換処理を含む変調レコーディングフレーム生成処理を実行する構成であることを特徴とする。
【００１６】
さらに、本発明の第２の側面は、
情報記録媒体に格納された情報の再生処理を実行する情報再生処理装置であり、
情報記録媒体から読み取られたデータの復調処理を実行する復調部と、
記録データの状態算出処理を実行し、該状態算出結果に基づいて、付加データの記録領域に格納された記録情報としての付加データ構成ビット情報の取得処理を実行する付加データデコード部と、
を有することを特徴とする情報再生処理装置にある。
【００１７】
さらに、本発明の情報再生処理装置の一実施態様において、前記付加データデコード部の算出する記録データの状態は、付加データの記録領域に対応する変調レコーディングフレームの構成データのパリティであり、該パリティが、偶数であるか、奇数であるかの状態に基づいて、前記付加データの構成ビット値が０であるか１であるかの識別処理を実行する構成であることを特徴とする。
【００１８】
さらに、本発明の情報再生処理装置の一実施態様において、前記情報再生処理装置は、取得した付加データ構成ビット情報に基づいて、前記情報記録媒体に格納されたコンテンツの暗号鍵情報、暗号鍵生成情報、コンテンツ再生制御情報、コンテンツコピー制御情報の少なくともいずれかの情報を生成する処理を実行する構成であることを特徴とする。
【００１９】
さらに、本発明の第３の側面は、
情報記録媒体であり、
付加データの記録領域に対応するレコーディングフレームを、
付加データの構成ビット値と、
レコーディングフレームの構成データのパリティが偶数であるか、奇数であるか、
上記２つの条件に基づいてビット値を決定したＤＣ制御ビットを設定したレコーディングフレームとし、当該レコーディングフレームに基づくデータが記録されたことを特徴とする情報記録媒体にある。
【００２０】
さらに、本発明の情報記録媒体の一実施態様において、前記付加データの記録領域に対応するレコーディングフレームは、付加データの構成ビット値と、付加データを格納するレコーディングフレームの構成データのデータ状態との対応に基づいて定められたルールに従い、ＤＣ制御ビットのトータルパリティを偶数または奇数のいずれかに設定して記録した構成を有することを特徴とする。
【００２１】
さらに、本発明の情報記録媒体の一実施態様において、前記情報記録媒体は、前記付加データを、前記情報記録媒体の格納コンテンツの暗号鍵情報、暗号鍵生成情報、コンテンツ再生制御情報、コンテンツコピー制御情報の少なくともいずれかの情報の構成情報として格納した構成であることを特徴とする。
【００２２】
さらに、本発明の情報記録媒体の一実施態様において、前記情報記録媒体は、ランレングス規則としてのＲＬＬ（１，７）を満足するデータ変換処理を実行して生成される変調レコーディングフレームに基づくデータを記録した構成であることを特徴とする。
【００２３】
さらに、本発明の情報記録媒体の一実施態様において、前記情報記録媒体は、２ビット情報を３ビット情報に変換する処理を実行して生成される変調レコーディングフレームに基づくデータを記録した構成であることを特徴とする。
【００２４】
さらに、本発明の第４の側面は、
付加データの構成ビット値と、付加データを格納するレコーディングフレームの構成データのデータ状態とに基づいて、当該レコーディングフレームに設定するＤＣ制御ビットのビット値を決定するＤＣ制御ビット指示ステップと、
記録対象データに対して前記ＤＣ制御ビット指示ステップにおいて指示されたＤＣ制御ビットを設定し、データ変調処理を実行し変調レコーディングフレームを生成する変調データ生成ステップと、
を有することを特徴とする情報記録処理方法にある。
【００２５】
さらに、本発明の情報記録処理方法の一実施態様において、前記付加データを格納するレコーディングフレームの構成データのデータ状態は、レコーディングフレームの構成データのパリティが偶数であるか奇数であるかの状態であり、前記ＤＣ制御ビット指示ステップは、前記付加データの構成ビット値が０であるか１であるか、および、レコーディングフレームの構成データのパリティが偶数であるか、奇数であるか、上記２つの条件に基づいて、当該レコーディングフレームに設定するＤＣ制御ビットのビット値を決定する処理を実行するステップを含むことを特徴とする。
【００２６】
さらに、本発明の情報記録処理方法の一実施態様において、前記ＤＣ制御ビット指示ステップは、前記付加データを格納するレコーディングフレームに設定する全てのＤＣ制御ビットのトータルパリティを偶数に設定するか、または奇数に設定するかを、付加データの構成ビット値と、付加データを格納するレコーディングフレームの構成データのデータ状態とに基づいて決定する処理を実行するステップを含むことを特徴とする。
【００２７】
さらに、本発明の情報記録処理方法の一実施態様において、前記付加データは、前記情報記録媒体に格納するコンテンツの暗号鍵情報、暗号鍵生成情報、コンテンツ再生制御情報、コンテンツコピー制御情報の少なくともいずれかの情報の構成情報であることを特徴とする。
【００２８】
さらに、本発明の情報記録処理方法の一実施態様において、前記変調データ生成ステップは、ランレングス規則としてのＲＬＬ（１，７）を満足するデータ変換処理を実行して変調レコーディングフレームを生成することを特徴とする。
【００２９】
さらに、本発明の情報記録処理方法の一実施態様において、前記変調データ生成ステップは、２ビット情報の３ビット情報への変換処理を含む変調レコーディングフレーム生成処理を実行することを特徴とする。
【００３０】
さらに、本発明の第５の側面は、
情報記録媒体に格納された情報の再生処理を実行する情報再生処理方法であり、
情報記録媒体から読み取られたデータの復調処理を実行する復調ステップと、
記録データの状態算出処理を実行し、該状態算出結果に基づいて、付加データの記録領域に格納された記録情報としての付加データ構成ビット情報の取得処理を実行する付加データデコードステップと、
を有することを特徴とする情報再生処理方法にある。
【００３１】
さらに、本発明の情報再生処理方法の一実施態様において、記付加データデコードステップは、付加データの記録領域に対応する変調レコーディングフレームの構成データのパリティを前記記録データの状態として算出し、該パリティが、偶数であるか、奇数であるかの状態に基づいて、前記付加データの構成ビット値が０であるか１であるかの識別処理を実行するステップを含むことを特徴とする。
【００３２】
さらに、本発明の情報再生処理方法の一実施態様において、前記情報再生処理方法は、さらに、取得した付加データ構成ビット情報に基づいて、前記情報記録媒体に格納されたコンテンツの暗号鍵情報、暗号鍵生成情報、コンテンツ再生制御情報、コンテンツコピー制御情報の少なくともいずれかの情報を生成する処理を実行するステップを含むことを特徴とする。
【００３３】
さらに、本発明の第６側面は、
情報記録処理を実行するコンピュータ・プログラムであり、
付加データの構成ビット値と、付加データを格納するレコーディングフレームの構成データのデータ状態とに基づいて、当該レコーディングフレームに設定するＤＣ制御ビットのビット値を決定するＤＣ制御ビット指示ステップと、
記録対象データに対して前記ＤＣ制御ビット指示ステップにおいて指示されたＤＣ制御ビットを設定し、データ変調処理を実行し変調レコーディングフレームを生成する変調データ生成ステップと、
を有することを特徴とするコンピュータ・プログラムにある。
【００３４】
さらに、本発明の第７の側面は、
情報記録媒体に格納された情報の再生処理を実行するコンピュータ・プログラムであり、
情報記録媒体から読み取られたデータの復調処理を実行する復調ステップと、
記録データの状態算出処理を実行し、該状態算出結果に基づいて、付加データの記録領域に格納された記録情報としての付加データ構成ビット情報の取得処理を実行する付加データデコードステップと、
を有することを特徴とするコンピュータ・プログラムにある。
【００３５】
なお、本発明のコンピュータ・プログラムは、例えば、様々なプログラム・コードを実行可能なコンピュータ・システムに対して、コンピュータ可読な形式で提供する記憶媒体、通信媒体、例えば、ＣＤやＦＤ、ＭＯなどの記録媒体、あるいは、ネットワークなどの通信媒体によって提供可能なコンピュータ・プログラムである。このようなプログラムをコンピュータ可読な形式で提供することにより、コンピュータ・システム上でプログラムに応じた処理が実現される。
【００３６】
本発明のさらに他の目的、特徴や利点は、後述する本発明の実施例や添付する図面に基づくより詳細な説明によって明らかになるであろう。なお、本明細書においてシステムとは、複数の装置の論理的集合構成であり、各構成の装置が同一筐体内にあるものには限らない。
【発明の効果】
【００３７】
本発明の構成によれば、情報記録媒体に対する付加データの記録、例えばコンテンツの復号処理に適用する鍵情報、鍵生成情報、あるいはコンテンツ再生制御情報、コピー制御情報など、様々な付加データを記録する処理を実行する記録処理装置において、付加データの埋め込み領域に対応するデータ領域のデータ状態と、付加データの構成ビット情報としてのビット値［０］または［１］とに応じて、レコーディングフレームに埋め込むＤＣ制御ビットの値を決定して設定する構成とした。また、再生処理装置においては、再生時にレコーディングフレームの構成データのデータ状態を検出するという処理を実行することで、付加構成ビット情報［０］または［１］を取得することができる。本構成により、例えば、コンテンツの復号処理に適用する鍵情報、鍵生成情報、あるいはコンテンツ再生制御情報、コピー制御情報などの付加情報を解析困難な態様で埋め込み、また再生時に確実に読み取る構成が実現される。
【００３８】
また、本発明の構成によれば、例えば、付加データの記録処理において、付加データを挿入するレコーディングフレームのデータのパリティが偶数か奇数かのデータ状態と、付加データのビット値情報、［０］または［１］に基づいて、付加データを格納するフレームのＤＣ制御ビットの値を決定して設定するのみで、付加データの構成ビット［０］また［１］を記録することが可能となる。再生時においては、パリティの検出のみで付加情報の取得が可能となる。
【発明を実施するための最良の形態】
【００３９】
以下、図面を参照しながら本発明の情報記録処理装置、情報再生処理装置、情報記録媒体、および方法、並びにコンピュータ・プログラムの詳細について説明する。
【００４０】
まず、図１を参照して本発明の情報記録処理装置の構成の構成および処理について説明する。なお、ここで説明する情報記録処理装置は、いわゆるマスターディスクといわれる原盤の製造装置としてのマスタリング装置を含み、さらに、一般ユーザの利用可能なＤＶＤ記録再生装置やＰＣ等の情報記録媒体ドライブを備えた装置も含むものである。すなわち、マスターディスクのみならず、書き込み可能（Recordable）、再書き込み可能（Rewritable）な様々な情報記録媒体に対してデータ書き込み可能な情報処理装置も含むものである。
【００４１】
図１を参照して、情報記録処理装置の構成、および処理について説明する。情報記録処理装置は、データ記録可能な情報記録媒体１０１、データ記録信号を情報記録媒体１０１に対して出力するピックアップ１０２、情報記録媒体１０１を駆動するスピンドルモーター１０３、ピックアップ１０２およびスピンドルモーター１０３の制御を行うサーボ回路１０４、付加データエラー訂正符号化部１０５、メインデータエラー訂正符号化部１０６、付加データ記録領域制御部１０７、スイッチ１０８、変調データ生成部１０９、ＤＣ制御ビット指示手段１１０、記録信号処理回路１１１から構成される。
【００４２】
情報記録媒体１０１に記録するコンテンツデータは、例えば暗号化コンテンツデータであり、メインデータとしてメインデータエラー訂正符号化部１０６に入力され、メインデータエラー訂正符号化部１０６は、入力データに対してエラー訂正符号を生成し付加する符号化処理を行う。
【００４３】
その後、変調データ生成部１０９において、変調処理が実行される。本発明に係る情報記録処理装置は、２ビットデータを３ビットデータへの変調を基本とするＲＬＬ（１，７）変調方式に基づく変調を実行する。
【００４４】
ＲＬＬ（１，７）変調方式に基づく変調とは、変調後のビットにおいて、連続する［０］の数が、最小１つ、最大７個の範囲となるＲＬＬ（１，７）のランレングス制限に従った変調データとするデータ変換方式である。なお、この変換処理においては、変換テーブルが使用される。具体的な変換テーブルの使用例については後述する。
【００４５】
変調データに基づいて、同期信号が設定されたレコーディングフレーム（Ｒｅｃｏｒｄｉｎｇ  Ｆｒａｍｅ）と呼ばれる記録単位が生成されて記録信号処理回路１１１を介して情報記録媒体１０１に記録される。
【００４６】
変調処理においては、入力されたメインデータのある一定間隔毎に変調時のＤＳＶ（Ｄｉｇｉｔａｌ  Ｓｕｍ  Ｖａｒｉａｔｉｏｎ：デジタルサムバリエーション）の絶対値が、小さくなるようにＤＣ制御ビット（ＤＣ−Ｃｏｎｔｒｏｌ  ｂｉｔ）の「０」または、「１」を選択して、挿入された後、変調処理が行われる。
【００４７】
ただし、本発明においては、このＤＣ制御ビットの設定を付加データの記録領域においては、上記ルールに従ったビット選択ではなく、付加データの構成ビットに基づいてＤＣ制御ビット（ＤＣ−Ｃｏｎｔｒｏｌ  ｂｉｔ）の「０」または、「１」を選択して挿入する。この処理については、後述する。
【００４８】
デジタルサムバリエーション（ＤＳＶ）は、情報記録媒体に対する記録信号として生成されるＮＲＺＩ変換信号のＤＣバランスの指標である。具体的には、記録ビット系列（ＮＲＺＩ変換信号）のビット［０］を「−１」、ビット［１］を「＋１」として累積した値をＤＳＶとし、ＤＳＶが０からの乖離をより小さくすることのできるように、ＤＣ制御ビット（ＤＣ−Ｃｏｎｔｒｏｌ  ｂｉｔ）の「０」または、「１」を選択して、挿入された後、変調処理が行われる。なお、ＮＲＺＩ変換処理については詳細を後述する。
【００４９】
なお、本発明の構成においては、付加データの記録領域におけるＤＣ制御ビットの設定を、上記ルールに従ったビット選択ではなく、付加データの構成ビットに基づいてＤＣ制御ビット（ＤＣ−Ｃｏｎｔｒｏｌ  ｂｉｔ）の「０」または、「１」を選択して挿入する構成としている。この処理については、後述する。
【００５０】
図２および図３を参照して変調データ生成部１０９において実行する変調データ生成処理の詳細について説明する。
【００５１】
記録データは、図２（ａ）に示すようにユーザデータ２０１、ユーザ制御データ（ＵＣＤ：Ｕｓｅｒ  Ｃｏｎｔｒｏｌ ｄａｔａ）２１１によって構成される。ユーザデータ２０１はコンテンツ等の再生対象データの実体データを含むデータであり、ユーザ制御データ（ＵＣＤ）２１１は再生制御情報などの様々な制御データを含むデータである。
【００５２】
ユーザデータ２０１は、２０４８バイトデータと４バイトパリティの３２フレームを単位として設定される。ユーザ制御データ（ＵＣＤ）２１１は、１８バイトデータの３２ユニットによって構成される。
【００５３】
３２フレーム×（２０４８＋４）バイトのユーザデータ２０１に基づいて、データブロック２０２が形成される。データブロック２０２は、３０４列（ｃｏｌｕｍ）×２１６行（ｒｏｗ）の配列を有する。なお、１列（ｃｏｌｕｍ）×１行（ｒｏｗ）は１バイト（８ｂｉｔ）データが格納される。
【００５４】
データブロック２０２に対して、各列に３２行（ｒｏｗ）のパリティが付加されたデータブロックとしてＬＤＣブロック２０３が生成され、ＬＤＣブロック２０３に対するインターリーブ処理により、１５２列×４９６行のＬＤＣクラスタ２０４が生成される。
【００５５】
一方、ユーザ制御データ（ＵＣＤ）２１１は、１６×９バイトの物理アドレスデータ２２１と結合されて、２４列×３０行のアクセスブロック２１２が生成された後、アクセスブロック２１２に対して、各列に３２行（ｒｏｗ）のパリティが付加されたデータブロックとしてＢＩＳブロック２１３が生成され、ＢＩＳブロック２１３に対するインターリーブ処理により、３列×４９６行のＢＩＳクラスタ２１４が生成される。
【００５６】
図３（ｄ）は図２（ｄ）と同様のデータ、すなわち、ユーザデータ２０１に基づいて生成される１５２列×４９６行のＬＤＣクラスタ２０４、およびユーザ制御データ（ＵＣＤ）２１１に基づいて生成される３列×４９６行のＢＩＳクラスタ２１４を示している。
【００５７】
１５２列×４９６行のＬＤＣクラスタ２０４は、図３（ｄ）に示すように、３２列（ｃｏｌｕｍ）単位の４つのパート（Ｉ〜ＩＶ）に分割され、また、３列×４９６行のＢＩＳクラスタ２１４は、１列（ｃｏｌｕｍ）単位の３つのパート（ｉ〜ｉｉｉ）に分割され、これらの各パートを交互に結合して、図３（ｅ）に示す１５５列×４９６行のＥＣＣクラスタ２３１が生成される。
【００５８】
さらに、ＥＣＣクラスタ２３１は、図３（ｆ）に示すように０〜２７の２８パートに区分されたクラスタ２３２として設定される。パート０のみが２５ｂｉｔ、その他のパート１〜２７は、４５ｂｉｔである。なお、図３（ｆ）に示すビット数は、１行（ｒｏｗ）あたりのビット数である。
【００５９】
さらに、図３（ｇ）に示すように、２０ビットの同期（Ｓｙｎｃ）ビットが設定され、さらに図３（ｆ）のパート０〜２７の各間に１ビットのＤＣ制御ビット（ＤＣ−ｃｏｎｔｒｏｌ  ｂｉｔ）が設定される。
【００６０】
この結果、［１２４０＋２０（Ｓｙｎｃ）＋（１ＤＣ制御×２８）＝１２８８］×４９６行（ｒｏｗ）の物理クラスタ２３３が設定される。物理クラスタ２３３の各行が変調データ生成処理単位としてのレコーディングフレーム２３４とされる。
【００６１】
なお、ＤＣ制御ビットは、情報記録媒体に対する記録信号として生成されるＮＲＺＩ変換信号のＤＣバランスの指標である。具体的には、記録ビット系列（ＮＲＺＩ変換信号）のビット［０］を「−１」、ビット［１］を「＋１」として累積した値をＤＳＶとし、ＤＳＶが０からの乖離をより小さくすることのできるように、ＤＣ制御ビット（ＤＣ−Ｃｏｎｔｒｏｌ  ｂｉｔ）の「０」または、「１」を選択して、挿入される。
【００６２】
ただし、前述したように、本発明においては、このＤＣ制御ビットの設定を付加データの記録領域においては、上記ルールに従ったビット選択ではなく、付加データの構成ビットに基づいてＤＣ制御ビット（ＤＣ−Ｃｏｎｔｒｏｌ  ｂｉｔ）の「０」または、「１」を選択して挿入する。この処理については、後述する。
【００６３】
図３に戻り、変調データ生成処理についての説明を続ける。１２８８ｂｉｔデータからなるレコーディングフレーム２３４に対して、２ビットデータを３ビットデータへ変換する変調処理が行われる。このデータ変換においては、連続する［０］の数が、最小１つ、最大７個の範囲となるランレングス制限に従った変調データとするＲＬＬ（１，７）のデータ変換が実行され、変調レコーディングフレーム２３５が生成される。
【００６４】
変調レコーディングフレーム２３５は、変調データビットとしての３０チャンネルビットの同期（Ｓｙｎｃ）チャンネルビットと、（１２８８−２０ｓｙｎｃ  ｂｉｔ）×２／３＝１９０２チャンネルビットの計１９３２チャンネルビット構成となる。
【００６５】
ＲＬＬ（１，７）のランレングス規則に従った２ビットから３ビットへのデータ変調処理には、変換テーブルが利用される。具体的な変換テーブルの例を図４に示す。
【００６６】
図４に示すように、変換テーブルは、各入力ビットに対応した変調データビットが対応付けられたテーブルとして構成される。例えば入力データが［００００００００］である場合、変調データビットは、［０１０１００１００１００］とされる。入力データが［１１］である場合、先行変調データビットが［ｘｘ１］であれば［０００］、先行変調データビットが［ｘｘ０］であれば［１０１］とされる。
【００６７】
２ビットから３ビットへのデータ変換をこのテーブルに従って実行することにより、ＲＬＬ（１，７）ランレングス規則に従った変調データビットが生成される。
【００６８】
図１に戻り、本発明の情報記録処理装置の構成および処理についての説明を続ける。図１における変調データ生成部１０９において、図２〜図４を参照して説明した変調データ生成処理が実行され、生成された変調データに基づく記録信号が記録信号処理回路１１１において生成される。
【００６９】
記録信号処理回路１１１においては、変調データ生成手段１０９の生成した変調データの［０］または［１］の値に応じてパルスの正負を反転させるＮＲＺＩ(Non Return to Zero Inverted)信号を生成しこれを記録信号として情報記録媒体１０１に記録する。
【００７０】
図５に記録信号処理回路１１１において実行する記録信号としてのＮＲＺＩ生成処理構成を示す。変調データ生成部１０９から出力される変調データビットとしてチャンネルビットは、ＮＲＺ変換手段１２１、排他論理和手段（ＸＯＲ）１２２、遅延手段１２３からなる記録信号処理回路１１１に入力される。図５（ａ）が、チャンネルビット、（ｂ）がＮＲＺ変換手段１２１からの出力信号、（ｃ）が記録信号処理回路１１１の最終的な出力としての記録信号であるＮＲＺＩ変換パルスを示している。この記録信号がピックアップ１０２に出力されてサーボ回路１０４の制御の下に記録情報が情報記録媒体１０１に記録される。
【００７１】
本発明の構成においては、付加データの記録領域に相当するレコーディングフレームの場合には、変調データ生成部１０９において実行するＤＣ制御ビット（図３（ｇ）参照）を［０］と設定するか［１］と設定するかを、付加データの構成ビットに基づいて決定する。
【００７２】
例えばある特定のレコーディングフレームを付加データ記録領域として選択し、その選択されたレコーディングフレーム中のＤＣ制御ビットを、付加データの構成ビットに基づいて［０］または［１］とするかを選択する。この処理により、変調データ上に付加データを割り振る事が可能になる。
【００７３】
図１の構成において、付加データが付加データエラー訂正符号化部１０５に入力され、エラー訂正符号を付加する符号化処理が行なわれる。なお、付加データとは、暗号鍵情報、暗号鍵生成情報、コンテンツ再生制御情報、コンテンツコピー制御情報、その他のコンテンツ属性情報など、様々な情報によって構成されるデータである。
【００７４】
ＤＣ制御ビット指示手段１１０には、エラー訂正符号の付加された付加データのビット列が入力される。例えば［０，０，０，１，０，０，０・・・］等のデータ列である。このビット列は、例えば暗号鍵情報、暗号鍵生成情報、コンテンツ再生制御情報、コンテンツコピー制御情報、その他のコンテンツ属性情報のいずれかの付加データと、その付加データに対するエラー訂正符号を含むビット列である。
【００７５】
付加データ記録領域制御部１０７は、メインデータエラー訂正符号化部１０６からの出力データに基づいて付加情報ビットの設定領域であるか否かを判定し、付加情報ビットの設定領域である場合にスイッチ１０８をＯＮとして、ＤＣ制御ビット指示手段１１０が付加情報に基づいて決定するＤＣ制御ビット情報を変調データ生成部１０９に出力し、変調データ生成部１０９は、付加データ記録領域に対応するレコーディングフレームに対して付加するＤＣ制御ビットの値をＤＣ制御ビット指示手段１１０からの指示に従って決定し、設定する。
【００７６】
ＤＣ制御ビット指示手段１１０は、変調データ生成部１０９から、付加情報ビットの設定領域に対応するメインデータのデータ状態値、例えばパリティを入力し、メインデータのパリティの値と、設定する付加データの構成ビットの値とに基づいて、ＤＣ制御ビットの値を決定する。
【００７７】
図６、図７を参照して、ＤＣ制御ビット指示手段１１０において実行する処理の詳細について説明する。
【００７８】
図６は、付加データの構成ビットが［０］の場合の設定例である。図６（１）は、付加データの構成ビットが［０］であり、かつ、付加データ設定領域（レコーディングフレーム）に格納されるメインデータのパリティが偶数である場合の例を示し、図６（２）は、付加データの構成ビットが［０］であり、かつ、付加データ設定領域（レコーディングフレーム）に格納されるメインデータのパリティが奇数である場合の例を示している。
【００７９】
なお、あるデータ領域におけるパリティが偶数であるとは、そのデータ領域に含まれるデータに含まれるビット１の数の累積値が偶数であることに相当する。あるデータ領域におけるパリティが奇数であるとは、そのデータ領域に含まれるデータに含まれる１の数の累積値が奇数であることに相当する。
【００８０】
なお、以下では、付加データ挿入位置を含むデータ領域の状態値として、パリティ情報を用いた例を示すが、データ領域の状態値としては、その他の検出可能な様々な状態値の適用が可能である。
【００８１】
図６（１）の場合、すなわち、付加データの構成ビットが［０］であり、かつ、図６（ａ）に示すように、付加データ設定領域（レコーディングフレーム）に格納されるメインデータのパリティが偶数である場合、（ｂ）に示すレコーディングフレームに挿入するＤＣ制御ビットのトータルパリティを偶数になるように調整する。この調整処理をＤＣ制御ビット指示手段１１０が実行する。
【００８２】
この結果、レコーディングフレームに基づいてＲＬＬ（１，７）変調によって生成される（ｃ）に示す変調レコーディングフレームのデータ部のトータルパリティは偶数に設定される。
【００８３】
なお、（１，７）ＲＬＬ変調の特性として、パリティプリザーブ（Ｐａｒｉｔｙ  Ｐｒｅｓｅｒｖｅ）、すなわち、偶数パリティデータの変調データは偶数パリティになり、奇数パリティデータの変調データは奇数パリティなるという特徴がある。
【００８４】
従って、例えば付加データが「００００１１１１」であった場合、ＭＳＢ側の第一ビット「０」を変調データ上に埋め込む時には、特定のレコーディングフレーム単位での変調データビットパターンパリティ（１の数）が奇数のときは、ＤＣ制御ビットの１つを［０］→［１］または、［１］→［０］に変更して変調処理を施す事によりレコーディングフレーム単位のパリティを偶数に設定することができるので付加データの「０」を割り付ける事ができる。
【００８５】
逆に、レコーディングフレーム単位でのパリティが奇数のときには、付加データの「１」を割り当てる様に規定する事が出来る。以上の様に、ある任意の特定レコーディングフレーム単位での変調データビットパターン上のパリティにデータを割り付けることにより、通常の復調データには出現することが無い付加データを記録することが出来る。
【００８６】
再生装置においては、変調レコーディングフレームのデータ部のトータルパリティを検出し、偶数であるとの判定に基づいて、このレコーディングフレームに格納された付加データの構成ビットが［０］であると判定する。なお、再生処理における付加ビット判定処理の詳細については後述する。
【００８７】
図６（２）は、付加データの構成ビットが［０］であり、かつ、付加データ設定領域（レコーディングフレーム）に格納されるメインデータのパリティが奇数である場合である。（ｂ）に示すレコーディングフレームに挿入するＤＣ制御ビットのトータルパリティを奇数になるように調整する。この調整処理をＤＣ制御ビット指示手段１１０が実行する。
【００８８】
この結果、レコーディングフレームに基づいてＲＬＬ（１，７）変調によって生成される（ｃ）に示す変調レコーディングフレームのデータ部のトータルパリティは偶数に設定される。
【００８９】
再生装置においては、変調レコーディングフレームのデータ部のトータルパリティを検出し、偶数であるとの判定に基づいて、このレコーディングフレームに格納された付加データの構成ビットが［０］であると判定する。
【００９０】
図７は、付加データの構成ビットが［１］の場合の設定例である。図７（３）は、付加データの構成ビットが［１］であり、かつ、付加データ設定領域（レコーディングフレーム）に格納されるメインデータのパリティが偶数である場合の例を示し、図７（４）は、付加データの構成ビットが［１］であり、かつ、付加データ設定領域（レコーディングフレーム）に格納されるメインデータのパリティが奇数である場合の例を示している。
【００９１】
図７（３）の場合、すなわち、付加データの構成ビットが［１］であり、かつ、付加データ設定領域（レコーディングフレーム）に格納されるメインデータのパリティが偶数である場合、（ｂ）に示すレコーディングフレームに挿入するＤＣ制御ビットのトータルパリティを奇数になるように調整する。この調整処理をＤＣ制御ビット指示手段１１０が実行する。
【００９２】
この結果、レコーディングフレームに基づいてＲＬＬ（１，７）変調によって生成される（ｃ）に示す変調レコーディングフレームのデータ部のトータルパリティは奇数に設定される。
【００９３】
再生装置においては、変調レコーディングフレームのデータ部のトータルパリティを検出し、奇数であるとの判定に基づいて、このレコーディングフレームに格納された付加データの構成ビットが［１］であると判定する。
【００９４】
図７（４）の場合は、付加データの構成ビットが［１］であり、かつ、付加データ設定領域（レコーディングフレーム）に格納されるメインデータのパリティが奇数である場合である。（ｂ）に示すレコーディングフレームに挿入するＤＣ制御ビットのトータルパリティを偶数になるように調整する。この調整処理をＤＣ制御ビット指示手段１１０が実行する。
【００９５】
この結果、レコーディングフレームに基づいてＲＬＬ（１，７）変調によって生成される（ｃ）に示す変調レコーディングフレームのデータ部のトータルパリティは奇数に設定される。
【００９６】
再生装置においては、変調レコーディングフレームのデータ部のトータルパリティを検出し、奇数であるとの判定に基づいて、このレコーディングフレームに格納された付加データの構成ビットが［１］であると判定する。
【００９７】
図８に、本発明における付加データ対応のＤＣ制御ビットの埋め込みルールをまとめたテーブルを示す。
【００９８】
図８には、図６、図７において説明した（１）〜（４）の各パターンを示している。（１）は、付加データの構成ビットが［０］であり、かつ、付加データ設定領域（レコーディングフレーム）に格納されるメインデータのパリティが偶数ある場合であり、この場合は、ＤＣ制御ビットのトータルパリティを偶数になるように設定する。この設定の結果として、ＤＣ制御ビットを設定した変調レコーディングフレームの全データに対応するトータルパリティが偶数となり、再生装置における再生時に実行するパリティ検出によって偶数パリティが検出され、付加データ構成ビット＝０とするデータ取得が可能となる。
【００９９】
図８（２）は、付加データの構成ビットが［０］であり、かつ、付加データ設定領域（レコーディングフレーム）に格納されるメインデータのパリティが奇数ある場合であり、この場合は、ＤＣ制御ビットのトータルパリティを奇数になるように設定する。この設定の結果として、ＤＣ制御ビットを設定した変調レコーディングフレームの全データに対応するトータルパリティが偶数となり、再生装置における再生時に実行するパリティ検出によって偶数パリティが検出され、付加データ構成ビット＝０とするデータ取得が可能となる。
【０１００】
図８（３）は、付加データの構成ビットが［１］であり、かつ、付加データ設定領域（レコーディングフレーム）に格納されるメインデータのパリティが偶数ある場合であり、この場合は、ＤＣ制御ビットのトータルパリティを奇数になるように設定する。この設定の結果として、ＤＣ制御ビットを設定した変調レコーディングフレームの全データに対応するトータルパリティが奇数となり、再生装置における再生時に実行するパリティ検出によって奇数パリティが検出され、付加データ構成ビット＝１とするデータ取得が可能となる。
【０１０１】
図８（４）は、付加データの構成ビットが［１］であり、かつ、付加データ設定領域（レコーディングフレーム）に格納されるメインデータのパリティが奇数ある場合であり、この場合は、ＤＣ制御ビットのトータルパリティを偶数になるように設定する。この設定の結果として、ＤＣ制御ビットを設定した変調レコーディングフレームの全データに対応するトータルパリティが奇数となり、再生装置における再生時に実行するパリティ検出によって奇数パリティが検出され、付加データ構成ビット＝１とするデータ取得が可能となる。
【０１０２】
次に、図９を参照して、本発明の情報記録処理装置において、ＤＣ制御ビット指示手段１１０が実行する付加データの記録処理シーケンスを説明する。
【０１０３】
ステップＳ１０１において、エラー訂正符号化後の付加データを入力する。これは、図１に示す付加データエラー訂正符号化部１０５からの出力データであり、暗号鍵情報、暗号鍵生成情報、コンテンツ再生制御情報、コンテンツコピー制御情報、その他のコンテンツ属性情報など、様々な情報によって構成されるデータであり、ＤＣ制御ビット指示手段１１０には、エラー訂正符号の付加された付加データのビット列、例えば［０，０，０，１，０，０，０・・・］等のデータ列が入力される。
【０１０４】
ステップＳ１０２では、付加データの構成ビット例えば［０，０，０，１，０，０，０・・・］から順番に１つのビットを記録ビットとして取り出す。ステップＳ１０３では、記録ビットが［０］であるか否かを判定する。
【０１０５】
記録ビットが［０］である場合、ステップＳ１０４に進む。記録ビットが［１］である場合、ステップＳ１０５に進む。
【０１０６】
記録ビットが［０］である場合、ステップＳ１０４において、付加データを格納するデータ領域のメインデータのパリティを判定する。メインデータのパリティが偶数である場合、ステップＳ１０６に進み、ＤＣ制御ビットの合計パリティを偶数に設定後、変調処理を実行する。この結果、変調データのトータルパリティは偶数に設定される。この処理は、図６（１）の（ｂ）〜（ｃ）の処理に相当する。
【０１０７】
ステップＳ１０４において、付加データを格納するデータ領域のメインデータのパリティが奇数と判定された場合、ステップＳ１０７に進み、ＤＣ制御ビットの合計パリティを奇数に設定後、変調処理を実行する。この結果、変調データのトータルパリティは偶数に設定される。この処理は、図６（２）の（ｂ）〜（ｃ）の処理に相当する。
【０１０８】
記録ビットが［１］である場合、ステップＳ１０５において、付加データを格納するデータ領域のメインデータのパリティを判定する。メインデータのパリティが偶数である場合、ステップＳ１０７に進み、ＤＣ制御ビットの合計パリティを奇数に設定後、変調処理を実行する。この結果、変調データのトータルパリティは奇数に設定される。この処理は、図７（３）の（ｂ）〜（ｃ）の処理に相当する。
【０１０９】
ステップＳ１０５において、付加データを格納するデータ領域のメインデータのパリティが奇数と判定された場合、ステップＳ１０６に進み、ＤＣ制御ビットの合計パリティを偶数に設定後、変調処理を実行する。この結果、変調データのトータルパリティは奇数に設定される。この処理は、図７（４）の（ｂ）〜（ｃ）の処理に相当する。
【０１１０】
ステップＳ１０８では、付加データの最終ビットの処理が終了したか否かを判定し、未処理データがある場合は、ステップＳ１０２以下の処理を繰り返し実行する。
【０１１１】
ステップＳ１０８において、未処理データなしの判定により、処理が終了、すなわち、上述した処理に従って、付加情報ビットが挿入された記録データが生成されることになる。
【０１１２】
次に、上述の付加情報、および映画、音楽などのコンテンツ（メインデータ）を格納した情報記録媒体の再生処理を行うデータ再生処理装置の構成および再生処理シーケンスについて説明する。
【０１１３】
図１０を参照して、データ再生処理装置の構成、および処理について説明する。データ再生処理装置は、情報記録媒体４０１、情報記録媒体４０１からのデータ読み取りを行うピックアップ４０２、情報記録媒体４０１を駆動するスピンドルモーター４０３、ピックアップ４０２およびスピンドルモーター４０３の制御を行うサーボ回路４０４、読み取り信号のゲイン調整などの信号処理を行いＲＦ信号を生成するＲＦ回路部４０５、ＲＦ信号から同期信号を抽出する同期検出部４０６、データ復調処理を実行するデータ復調処理部４０７、付加データの領域についてのみ、情報記録媒体の読み取り信号を付加データデコード部４０８に出力するためのスイッチ４１０、付加データの領域を検出し、スイッチ４１０を制御する付加データ記録領域検出部４１１、付加データのデコード処理を実行する付加データデコード部４０８、メインデータのエラー訂正処理を行うメインデータエラー訂正部４１２、付加データのエラー訂正処理を行う付加データエラー訂正部４０９を有する。
【０１１４】
情報記録媒体４０１に格納されたコンテンツデータは、例えば暗号化コンテンツデータであり、また情報記録媒体４０１に格納された付加データは、暗号化コンテンツの復号処理に適用する鍵データ、あるいは鍵生成情報、またはコンテンツ再生制御情報、コンテンツコピー制御情報、その他コンテンツの属性情報などである。
【０１１５】
情報記録媒体４０１からピックアップ４０２を介して読み取られたデータは、ＲＦ回路部４０５においてゲイン調整などの信号処理がなされ、同期検出部４０６に入力される。同期検出４０６部は、記録信号中の同期信号（シンク）を検出し、検出信号を付加データ記録領域制御部４１１に出力する。付加データ記録領域制御部４１１は、同期検出部４０６から、入力される同期信号に基づいて、付加データの記録領域を判別し、判別情報に基づいて、スイッチ４１０を制御し、付加データのデコード処理を実行する付加データデコード部４０８に、付加データのデコードに必要な領域の変調データを入力する。
【０１１６】
付加データデコード部４０８は、入力される変調データに基づいて、付加データを取得するためのデコード処理を実行する。すなわち、付加データ格納領域を含む所定の変調データ領域におけるデータ状態値（パリティ）を検出し、検出した状態値に基づいて付加データの構成ビットが［０］であるか［１］であるかを判定する。
【０１１７】
すなわち、付加データを設定したレコーディングフレームのデータ部におけるトータルパリティを算出し、このトータルパリティが偶数であれば付加データの構成ビット＝［０］、トータルパリティが偶数であれば付加データの構成ビット＝［１］と判定する。
【０１１８】
このように、再生装置においては、データ復調処理部４０７に入力される復調対象のデータに付加データを格納したフレームである場合、そのフレームデータをスイッチ４１０を介して付加データデコード部４０８に入力し、付加データデコード部４０８で、データ領域のトータルパリティを計算するのみで、付加情報ビットが［０］であるか［１］であるかを識別することができる。
【０１１９】
付加データデコード部４０８は、断続的に入力される付加データのデコードに必要な領域の変調データに基づいて、同様の処理を実行し、例えばｎビット情報の鍵データ、あるいは鍵生成情報、またはコンテンツ再生制御情報、コンテンツコピー制御情報、その他コンテンツの属性情報などの付加データを取得する。なお、この付加データは、データ記録処理装置の説明において述べたように、エラー訂正符号を含んでおり、付加データエラー訂正部４０９においてエラー訂正がなされた後、出力される。
【０１２０】
なお、付加データが例えばコンテンツの復号に適用する鍵情報である場合、付加データの出力先は、コンテンツの復号処理を実行する復号処理部となる。コンテンツの再生制御情報である場合は再生制御部となる。
【０１２１】
一方、付加データ以外の一般のデータは、情報記録媒体の読み取りデータが同期検出部４０６からデータ復調部４０７に出力され、先に図２，図３を参照して説明した逆のデータ変換が順次実行され、再生データが取得される。
【０１２２】
復調データであるメインデータも、付加データと同様、エラー訂正符号を含んでおり、メインデータエラー訂正部４１２においてエラー訂正がなされた後、出力される。
【０１２３】
なお、出力データが例えば暗号化コンテンツである場合、付加データとして出力される鍵生成情報に基づいて生成可能な暗号鍵を適用した復号処理が実行された後、ディスプレイ、スピーカ等の出力手段を介して出力される。
【０１２４】
次に、図１１を参照して付加情報読み取りを含む再生処理シーケンスについて説明する。図１１の処理は、図１０に示す再生処理装置において実行する処理である。
【０１２５】
ステップＳ２０１において、情報記録媒体からの読み取り信号に基づいてＲＦ信号が生成され、ステップＳ２０２において、ＲＦ信号に基づいて復調処理が実行され、付加データ格納領域に対応する変調レコーディングフレームについてのパリティ計算が実行される。図６、図７に示す（ｃ）の変調レコーディングフレームのトータルパリティの計算が実行される。
【０１２６】
ステップＳ２０３において、変調レコーディングフレームのトータルパリティが偶数であるか否かが判定される。偶数である場合、ステップＳ２０４において、付加データビット＝０と判定し、奇数である場合、ステップＳ２０５において、付加データビット＝１と判定する。
【０１２７】
ステップＳ２０６では、付加データの最終ビットか否かを判定し、未処理ビットがある場合は、ステップＳ２０２以下の処理を繰り返し実行し、付加データの最終ビットに至ると処理が終了する。
【０１２８】
なお、上述した実施例においては、パリティ情報を用いた例を中心として説明したが、パリティは、データ領域の状態情報の一例であり、その他の検出可能な様々な状態値の適用が可能である。すなわち、データから得られる状態であれば、パリティ以外の様々な情報を適用することが可能である。
【０１２９】
以上、特定の実施例を参照しながら、本発明について詳解してきた。しかしながら、本発明の要旨を逸脱しない範囲で当業者が該実施例の修正や代用を成し得ることは自明である。すなわち、例示という形態で本発明を開示してきたのであり、限定的に解釈されるべきではない。本発明の要旨を判断するためには、冒頭に記載した特許請求の範囲の欄を参酌すべきである。
【０１３０】
なお、明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させるか、あるいは、各種処理が実行可能な汎用コンピュータにプログラムをインストールして実行させることが可能である。
【０１３１】
例えば、プログラムは記録媒体としてのハードディスクやＲＯＭ（Read Only Memory)に予め記録しておくことができる。あるいは、プログラムはフレキシブルディスク、ＣＤ−ＲＯＭ(Compact Disc Read Only Memory)，ＭＯ(Magneto optical)ディスク，ＤＶＤ(Digital Versatile Disc)、磁気ディスク、半導体メモリなどのリムーバブル記録媒体に、一時的あるいは永続的に格納（記録）しておくことができる。このようなリムーバブル記録媒体は、いわゆるパッケージソフトウエアとして提供することができる。
【０１３２】
なお、プログラムは、上述したようなリムーバブル記録媒体からコンピュータにインストールする他、ダウンロードサイトから、コンピュータに無線転送したり、ＬＡＮ(Local Area Network)、インターネットといったネットワークを介して、コンピュータに有線で転送し、コンピュータでは、そのようにして転送されてくるプログラムを受信し、内蔵するハードディスク等の記録媒体にインストールすることができる。
【０１３３】
なお、明細書に記載された各種の処理は、記載に従って時系列に実行されるのみならず、処理を実行する装置の処理能力あるいは必要に応じて並列的にあるいは個別に実行されてもよい。また、本明細書においてシステムとは、複数の装置の論理的集合構成であり、各構成の装置が同一筐体内にあるものには限らない。
【産業上の利用可能性】
【０１３４】
以上、説明したように、本発明の構成によれば、情報記録媒体に対する付加データの記録、例えばコンテンツの復号処理に適用する鍵情報、鍵生成情報、あるいはコンテンツ再生制御情報、コピー制御情報などの付加情報を記録する際、付加データの記録領域のデータ状態と、付加データの構成ビット情報［０］または［１］とに応じて、レコーディングフレームに埋め込むＤＣ制御ビットの値を決定して設定する構成とし、再生時にレコーディングフレームの構成データのデータ状態を検出することで、付加構成ビット情報［０］または［１］を取得することができる。従って、例えば、著作権の保護の必要なコンテンツを記録媒体に格納し、そのコンテンツの復号処理に適用する鍵情報、鍵生成情報、あるいはコンテンツ再生制御情報、コピー制御情報などの付加情報を解析困難な態様で埋め込む必要のある場合の情報記録処理装置、情報再生処理装置、情報記録媒体において適用可能である。
【０１３５】
本発明の構成によれば、例えば、付加データの記録処理において、付加データを挿入するレコーディングフレームのデータのパリティ値を算出し、そのパリティが偶数か奇数かの情報と、付加データのビット値情報、［０］または［１］に基づいて、付加データを格納するフレームのＤＣ制御ビットの値を決定して設定するのみで、付加データの構成ビット［０］また［１］を記録することが可能となる。再生時においては、読み取りデータのパリティの検出のみで付加情報の取得が可能となる。従って、例えば、著作権の保護の必要なコンテンツを記録媒体に格納し、そのコンテンツの復号処理に適用する鍵情報、鍵生成情報、あるいはコンテンツ再生制御情報、コピー制御情報などの付加情報を解析困難な態様で埋め込む必要のある場合の情報記録処理装置、情報再生処理装置、情報記録媒体において適用可能である。
【図面の簡単な説明】
【０１３６】
【図１】本発明の情報記録処理装置の構成を示す図である。
【図２】本発明の情報記録処理装置における変調データ生成部の処理の詳細を説明する図（その１）である。
【図３】本発明の情報記録処理装置における変調データ生成部の処理の詳細を説明する図（その２）である。
【図４】本発明の情報記録処理装置における変調処理において適用する変換テーブルのデータ構成について説明する図である。
【図５】本発明の情報記録処理装置における記録信号処理回路において実行する処理の詳細を説明する図である。
【図６】本発明の情報記録処理装置において実行する付加データに基づくＤＣ制御ビットの設定処理例について説明する図である。
【図７】本発明において実行する付加データに基づくＤＣ制御ビットの設定処理例について説明する図である。
【図８】本発明において実行する付加データに基づくＤＣ制御ビットの設定処理ルールについて説明する図である。
【図９】本発明の情報記録処理装置において実行する付加データ記録処理シーケンスを説明するフロー図である。
【図１０】本発明の情報再生処理装置の構成を示す図である。
【図１１】本発明の情報再生処理装置において実行する付加データ読み取りおよびデータ再生処理シーケンスを説明するフロー図である。
【符号の説明】
【０１３７】
１０１  情報記録媒体
１０２  ピックアップ
１０３  スピンドルモーター
１０４  サーボ回路
１０５  付加データエラー訂正符号化部
１０６  メインデータエラー訂正符号化部
１０７  付加データ記録領域制御部
１０８  スイッチ
１０９  変調データ生成部
１１０  ＤＣ制御ビット指示手段
１１１  記録信号処理回路
１２１  ＮＲＺ変換手段
１２２  ＸＯＲ
１２３  遅延手段
２０１  ユーザデータ
２０２  データブロック
２０３  ＬＤＣブロック
２０４  ＬＤＣクラスタ
２１１  ユーザ制御情報（ＵＣＤ）
２１２  アクセスブロック
２１３  ＢＩＳブロック
２１４  ＢＩＳクラスタ
２２１  物理アドレス
２３１  ＥＣＣクラスタ
２３２  クラスタ
２３３  物理クラスタ
２３４  レコーディングフレーム
２３５  変調レコーディングフレーム
４０１  情報記録媒体
４０２  ピックアップ
４０３  スピンドルモーター
４０４  サーボ回路
４０５  ＲＦ回路部
４０６  同期検出部
４０７  データ復調処理部
４０８  付加データデコード部
４０９  付加データエラー訂正部
４１０  スイッチ
４１１  付加データ記録領域検出部
４１２  メインデータエラー訂正部
【図１】
2005085424.tif 000003
【図２】
2005085424.tif 000004
【図３】
2005085424.tif 000005
【図４】
2005085424.tif 000006
【図５】
2005085424.tif 000007
【図６】
2005085424.tif 000008
【図７】
2005085424.tif 000009
【図８】
2005085424.tif 000010
【図９】
2005085424.tif 000011
【図１０】
2005085424.tif 000012
【図１１】
2005085424.tif 000013